(57)【要約】【課題】対物レンズ同士の相対的な傾き誤差によって発生するコマ収差を適切に抑えることが可能な光ピックアップ装置を提供する。【解決手段】光学的特性の異なる対物レンズ１１、１２と、各対物レンズ１１、１２を重ねることなく、対物レンズ１１の方が対物レンズ１２より光記録媒体までの距離が短くなるように、それぞれ取り付けるレンズ受筒部７ｂ、７ｃが設けられたレンズホルダ７と、対物レンズ１１の外周を囲うように筒状に形成され、光記録媒体側の端部に対物レンズ１１と光記録媒体との衝突を防止する突出部９ｂが設けられた緩衝部材９とを備えた光ピックアップ装置において、レンズ受筒部７ｃに対物レンズ１２を固定し、緩衝部材９とレンズ受筒部９ｂとに、対物レンズ１１を傾き調整可能に保持するレンズチルト調整保持構造１３を付加する。【選択図】図３
2008047258.tif 000002
【特許請求の範囲】
【請求項１】
波長の短いレーザ光を集光して光記録媒体に照射する第１の対物レンズと、波長の長いレーザ光を集光して光記録媒体に照射する第２の対物レンズと、各対物レンズを重ねることなく、第１の対物レンズの方が第２の対物レンズより光記録媒体までの距離が短くなるように、それぞれ取り付ける第１のレンズ受筒部および第２のレンズ受筒部が設けられたレンズホルダと、第１の対物レンズの外周を囲うように筒状に形成され、光記録媒体側の端部に第１の対物レンズと光記録媒体との衝突を防止する突出部が設けられた良好な摺動性を有する緩衝部材と、を備えた光ピックアップ装置において、
前記第２のレンズ受筒部に前記第２の対物レンズを固定し、
前記緩衝部材と前記第１のレンズ受筒部とに、前記第１の対物レンズを傾き調整可能に保持するレンズチルト調整保持構造を付加し、
前記レンズチルト調整保持構造は、
前記緩衝部材の内周面に設けられ、前記第１の対物レンズを光記録媒体側から支持する支持部と、
前記緩衝部材の外周面に設けられたフランジ部と、
前記フランジ部に等角度間隔で３つ設けられた貫通孔と、
前記レンズホルダの前記第１のレンズ受筒部の周囲に等角度間隔で３つ設けられためねじ孔と、
前記各貫通孔を貫通して前記各めねじ孔に螺合され、前記緩衝部材を前記レンズホルダに取り付ける３本のビスと、
前記第１の対物レンズと前記第１のレンズ受筒部との間に設けられ、第１の対物レンズの周端部を光記録媒体側へ押すような弾性力を発生するばねと、
前記第１の対物レンズと前記第１のレンズ受筒部とにそれぞれ設けられ、前記ばねを係合する係合部と、から構成されていることを特徴とする光ピックアップ装置。
【請求項２】
光学的特性の異なる第１の対物レンズおよび第２の対物レンズと、各対物レンズを重ねることなく、第１の対物レンズの方が第２の対物レンズより光記録媒体までの距離が短くなるように、それぞれ取り付ける第１のレンズ受筒部および第２のレンズ受筒部が設けられたレンズホルダと、第１の対物レンズの外周を囲うように筒状に形成され、光記録媒体側の端部に第１の対物レンズと光記録媒体との衝突を防止する突出部が設けられた緩衝部材と、を備えた光ピックアップ装置において、
前記第２のレンズ受筒部に前記第２の対物レンズを固定し、
前記緩衝部材と前記第１のレンズ受筒部とに、前記第１の対物レンズを傾き調整可能に保持するレンズチルト調整保持構造を付加したことを特徴とする光ピックアップ装置。
【請求項３】
請求項２に記載の光ピックアップ装置において、
前記レンズチルト調整保持構造は、
前記緩衝部材の内周面に設けられ、前記第１の対物レンズを光記録媒体側から支持する支持部と、
前記緩衝部材の外周面に設けられたフランジ部と、
前記フランジ部に設けられた貫通孔と、
前記レンズホルダの前記第１のレンズ受筒部の周囲に設けられためねじ孔と、
前記貫通孔を貫通して前記めねじ孔に螺合され、前記緩衝部材を前記レンズホルダに取り付けるビスと、
前記第１の対物レンズと前記第１のレンズ受筒部との間に設けられ、第１の対物レンズを光記録媒体側へ押すような弾性力を発生するばねと、から構成されていることを特徴とする光ピックアップ装置。
【請求項４】
請求項３に記載の光ピックアップ装置において、
前記貫通孔、前記めねじ孔、および前記ビスを、それぞれ前記緩衝部材および前記第１のレンズ受筒部の周囲に所定の角度間隔で複数設けたことを特徴とする光ピックアップ装置。
【請求項５】
請求項３または請求項４に記載の光ピックアップ装置において、
前記第１の対物レンズと前記第１のレンズ受筒部とにそれぞれ、前記ばねを係合する係合部を設けたことを特徴とする光ピックアップ装置。
【発明の詳細な説明】
【技術分野】
【０００１】
本発明は、光学的特性の異なる複数の対物レンズを備えた光ピックアップ装置に関するものである。
【背景技術】
【０００２】
光ピックアップ装置には、例えばＤＶＤ（Ｄｉｇｉｔａｌ  Ｖｅｒｓａｔｉｌｅ  Ｄｉｓｃ）やブルーレイディスク（Ｂｌｕ−ｒａｙ  Ｄｉｓｃ；登録商標）等のような、種類の異なる光記録媒体に対して情報の再生や記録を行うために、光記録媒体の種類に対応した光学的特性を有する複数種類の対物レンズを備えたものがある。このような光ピックアップ装置では、複数種類の対物レンズを１つのレンズホルダに取り付け、光記録媒体の種類に応じて対物レンズを切り換えて使用している。つまり、例えばＤＶＤに対して再生等を行うときは、ＤＶＤに対応した対物レンズによって、光源から発射されたレーザ光を集光してＤＶＤに照射し、ブルーレイディスクに対して再生等を行うときは、ブルーレイディスクに対応した対物レンズによって、光源から発射されたレーザ光を集光してブルーレイディスクに照射している。
【０００３】
ところで、光記録媒体と対物レンズとのワーキングディスタンス（作動距離）は、光記録媒体と対物レンズの種類によって異なる。例えば、ＤＶＤより記録密度の高いブルーレイディスクとこれに対応する対物レンズでは、ＤＶＤとこれに対応する対物レンズより、波長の短いレーザ光を集光して照射するので、ワーキングディスタンスが極めて短くなっている。ワーキングディスタンスがある程度短くなると、フォーカスサーボが外れたとき等に、対物レンズと光記録媒体とが衝突して傷ついてしまう。このため、ワーキングディスタンスが短い対物レンズの近傍に、例えば特許文献１や特許文献２に開示されているような緩衝部材を設けて、該対物レンズと光記録媒体との衝突を防止している。
【０００４】
また、対物レンズでレーザ光を集光して、光記録媒体に照射した光スポットには、対物レンズの製造誤差やレンズホルダへの取り付け誤差により、コマ収差が発生する。コマ収差がある程度大きくなると、再生性能や記録性能が劣化してしまう。このため、例えば特許文献３の段落０００２や特許文献４の段落０００３に開示されているように、固定側部材に対してレンズホルダの取り付け角度を調整することにより、レンズホルダに固定した対物レンズの傾きを変化させて、コマ収差を補正している。
【０００５】
しかし、１つのレンズホルダに複数種類の対物レンズを固定した場合は、各対物レンズで発生するコマ収差を補正可能な各対物レンズの傾き方向が同一になるように、各対物レンズがレンズホルダに固定されているとは限らないので、レンズホルダごと各対物レンズを同一方向へ傾けて、一方の対物レンズで発生するコマ収差を補正しても、他方の対物レンズで発生するコマ収差が非常に大きくなるおそれがある。このため、特許文献３では、レンズホルダに設けた第２の座面に対する第１の座面の傾きの方向と、第１の対物レンズのコマ収差の方向とが相反するように、第１の対物レンズを第１の座面に載置して固定することにより、第２の座面に単に（コマ収差の方向を考慮せずに）固定した第２の対物レンズを対象とした上述のコマ収差の補正が、第１の対物レンズで発生するコマ収差を悪化させるのを抑えている。また、特許文献４には、一方の対物レンズを対象とした上述のコマ収差の補正が他方の対物レンズで発生するコマ収差を悪化させるのを抑えるための、各対物レンズの設計仕様と条件が開示されている。
【０００６】
【特許文献１】特開２００４−１８５７２１号公報
【特許文献２】特開２００１−６７７００号公報
【特許文献３】特開平１０−１５４３４２号公報
【特許文献４】特開平１１−２３９６０号公報
【発明の開示】
【発明が解決しようとする課題】
【０００７】
しかしながら、上述した特許文献３、４では、レンズホルダに対する対物レンズの取り付け条件や、対物レンズの設計仕様と条件しか開示されていないので、実際に光ピックアップ装置の各部を組み合わせたときの対物レンズ同士の相対的な傾き誤差によって発生するコマ収差を適切に抑えることはできない。
【０００８】
本発明は以上の問題を解決するものであって、その課題とするところは、対物レンズ同士の相対的な傾き誤差によって発生するコマ収差を適切に抑えることが可能な光ピックアップ装置を提供することにある。
【課題を解決するための手段】
【０００９】
本発明は、光学的特性の異なる第１の対物レンズおよび第２の対物レンズと、各対物レンズを重ねることなく、第１の対物レンズの方が第２の対物レンズより光記録媒体までの距離が短くなるように、それぞれ取り付ける第１のレンズ受筒部および第２のレンズ受筒部が設けられたレンズホルダと、第１の対物レンズの外周を囲うように筒状に形成され、光記録媒体側の端部に第１の対物レンズと光記録媒体との衝突を防止する突出部が設けられた緩衝部材と、を備えた光ピックアップ装置において、第２のレンズ受筒部に第２の対物レンズを固定し、緩衝部材と第１のレンズ受筒部とに、第１の対物レンズを傾き調整可能に保持するレンズチルト調整保持構造を付加したものである。
【００１０】
このようにすると、第２の対物レンズの光記録媒体に対する傾きの調整後に、レンズチルト調整保持構造により第１の対物レンズの光記録媒体やレンズホルダや第２の対物レンズに対する傾きを調整することができるので、該傾き調整により、実際に光ピックアップ装置の各部を組み合わせたときの対物レンズ同士の相対的な傾き誤差によって発生するコマ収差を適切に抑えることが可能となる。また、レンズホルダの各レンズ受筒部への各対物レンズの取り付け後に、各対物レンズの傾きを調整して、コマ収差を補正することができるので、各対物レンズを各レンズ受筒部に常に一定の状態で取り付けられるように、各対物レンズと各レンズ受筒部の寸法精度を厳しく管理する必要がなくなり、各部品の製造が容易になって、生産性を向上させることが可能となる。また、緩衝部材とレンズホルダの第１のレンズ受筒部とにレンズチルト調整保持構造を付加しているので、第１の対物レンズのレンズホルダや第２の対物レンズに対する傾きを調整する専用の部材を別途製造して設ける必要がなく、製造コストの上昇を抑えることが可能となる。さらに、レンズホルダごと第２の対物レンズの傾きを調整して、第２の対物レンズで発生するコマ収差を補正してから、レンズチルト調整保持構造により第１の対物レンズの傾きを調整して、第１の対物レンズで発生するコマ収差を補正することで、いずれの対物レンズでレーザ光を集光して光記録媒体に照射しても、光記録媒体に形成される光スポットに発生するコマ収差を適切に抑えることができ、光ピックアップ装置の再生性能または記録性能を向上させることが可能となる。
【００１１】
また、本発明の一実施形態では、上記光ピックアップ装置において、レンズチルト調整保持構造は、緩衝部材の内周面に設けられ、第１の対物レンズを光記録媒体側から支持する支持部と、緩衝部材の外周面に設けられたフランジ部と、フランジ部に設けられた貫通孔と、レンズホルダの第１のレンズ受筒部の周囲に設けられためねじ孔と、貫通孔を貫通してめねじ孔に螺合され、緩衝部材をレンズホルダに取り付けるビスと、第１の対物レンズと第１のレンズ受筒部との間に設けられ、第１の対物レンズを光記録媒体側へ押すような弾性力を発生するばねとから構成されている。
【００１２】
このようにすると、レンズホルダの第１のレンズ受筒部に配置したばねで第１の対物レンズを反光記録媒体側から支持し、緩衝部材で第１の対物レンズの外周を囲いつつ、緩衝部材の支持部で第１の対物レンズを光記録媒体側から支持し、ビスを緩衝部材のフランジ部の貫通孔に貫通させて第１のレンズ受筒部のめねじ孔に螺合して、緩衝部材をレンズホルダに取り付けることで、第１の対物レンズを緩衝部材と第１のレンズ受筒部とで保持して、レンズホルダに取り付けることができる。そして、ビスのめねじ孔へのねじ込み量を精密に変えることで、緩衝部材ごと第１の対物レンズの傾きを精度良く微調整して、第１の対物レンズで発生するコマ収差を狙い通りに補正することができる。また、レンズホルダや緩衝部材とは別体のビスおよびばねとして、汎用的なビスやばねを用いることで、製造コストを低く抑えることができる。
【００１３】
また、本発明の一実施形態では、上記光ピックアップ装置において、貫通孔、めねじ孔、およびビスを、それぞれ緩衝部材および第１のレンズ受筒部の周囲に所定の角度間隔で複数設ける。
【００１４】
このようにすると、各ビスの各めねじ孔へのねじ込み量を変化させることで、第１の対物レンズを多方向へ傾き調整することができ、第１の対物レンズで発生するコマ収差を的確に補正することが可能となる。
【００１５】
また、本発明の一実施形態では、上記光ピックアップ装置において、第１の対物レンズと第１のレンズ受筒部とにそれぞれ、ばねを係合する係合部を設ける。
【００１６】
このようにすると、第１の対物レンズのレーザ光を透過させる有効部分の中心が、レーザ光の光軸から外れるのを確実に防止することができ、第１の対物レンズの光学的特性を十分に発揮させることが可能となる。
【００１７】
さらに、本発明の典型的な実施形態では、波長の短いレーザ光を集光して光記録媒体に照射する第１の対物レンズと、波長の長いレーザ光を集光して光記録媒体に照射する第２の対物レンズと、各対物レンズを重ねることなく、第１の対物レンズの方が第２の対物レンズより光記録媒体までの距離が短くなるように、それぞれ取り付ける第１のレンズ受筒部および第２のレンズ受筒部が設けられたレンズホルダと、第１の対物レンズの外周を囲うように筒状に形成され、光記録媒体側の端部に第１の対物レンズと光記録媒体との衝突を防止する突出部が設けられた良好な摺動性を有する緩衝部材と、を備えた光ピックアップ装置において、第２のレンズ受筒部に第２の対物レンズを固定し、緩衝部材と第１のレンズ受筒部とに、第１の対物レンズを傾き調整可能に保持するレンズチルト調整保持構造を付加し、該レンズチルト調整保持構造は、緩衝部材の内周面に設けられ、第１の対物レンズを光記録媒体側から支持する支持部と、緩衝部材の外周面に設けられたフランジ部と、フランジ部に等角度間隔で３つ設けられた貫通孔と、レンズホルダの第１のレンズ受筒部の周囲に等角度間隔で３つ設けられためねじ孔と、各貫通孔を貫通して各めねじ孔に螺合され、緩衝部材をレンズホルダに取り付ける３本のビスと、第１の対物レンズと第１のレンズ受筒部との間に設けられ、第１の対物レンズの周端部を光記録媒体側へ押すような弾性力を発生するばねと、第１のレンズと第１のレンズ受筒部とにそれぞれ設けられ、ばねを係合する係合部とから構成されている。
【００１８】
このようにすると、第２の対物レンズの光記録媒体に対する傾きの調整後に、レンズチルト調整保持構造により第１の対物レンズの光記録媒体やレンズホルダや第２の対物レンズに対する傾きを調整することができるので、実際に光ピックアップ装置の各部を組み合わせたときの対物レンズ同士の相対的な傾き誤差によって発生するコマ収差を適切に抑えることが可能となる。特に、３つのビスのめねじ孔へのねじ込み量を変化させることで、第１の対物レンズを３軸でタンジェンシャルチルト方向やラジアルチルト方向等の多方向へ傾き調整することができ、上記コマ収差を的確に補正することが可能となる。加えて、ばねを第１の対物レンズと第１のレンズ受筒部の係合部に係合することで、第１の対物レンズのレーザ光を透過させる有効部分の中心が、レーザ光の光軸から外れるのを確実に防止することができ、第１の対物レンズの光学的特性を十分に発揮させることが可能となる。また、各対物レンズを各レンズ受筒部に常に一定の状態で取り付けられるように、各対物レンズと各レンズ受筒部の寸法精度を厳しく管理する必要がなくなり、各部品の製造が容易になって、生産性を向上させることが可能となる。また、第１の対物レンズのレンズホルダに対する傾きを調整する専用の部材を別途製造して設ける必要がなく、製造コストの上昇を抑えることが可能となる。さらに、レンズホルダごと第２の対物レンズの傾きを調整して、第２の対物レンズで発生するコマ収差を補正してから、レンズチルト調整保持構造により第１の対物レンズの傾きを調整して、第１の対物レンズで発生するコマ収差を補正することで、いずれの対物レンズでレーザ光を集光して光記録媒体に照射しても、光記録媒体に形成される光スポットに発生するコマ収差を適切に抑えることができ、光ピックアップ装置の再生性能または記録性能を向上させることが可能となる。
【発明の効果】
【００１９】
本発明によれば、第２の対物レンズの光記録媒体に対する傾きの調整後に、緩衝部材と第１のレンズ受筒部とに付加したレンズチルト調整保持構造により、第１の対物レンズの光記録媒体やレンズホルダや第２の対物レンズに対する傾きを調整することができるので、実際に光ピックアップ装置の各部を組み合わせたときの対物レンズ同士の相対的な傾き誤差によって発生するコマ収差を適切に抑えることが可能となる。
【発明を実施するための最良の形態】
【００２０】
図１は、本発明の実施形態に係る光ピックアップ装置１の全体を示す斜視図である。光ピックアップ装置１は、光記録媒体の一例であるＤＶＤ（Ｄｉｇｉｔａｌ  Ｖｅｒｓａｔｉｌｅ  Ｄｉｓｃ）とブルーレイディスク（Ｂｌｕ−ｒａｙ  Ｄｉｓｃ）に対して情報の再生や記録を行うマルチタイプのディスクプレーヤやディスクレコーダ等に搭載される。
【００２１】
光ピックアップ装置１のベース２は、ディスクプレーヤ等のシャーシに固定される固定部材である。ベース２には、各種の光学系や駆動系等の部品が取り付けられている。図１では、ベース２上に取り付けられたアクチュエータ３のみ図示している。アクチュエータ３のベース４の本体部４ａの中央には、軸５が貫通させられて固定されている。ベース４と軸５は、ベース２の上面に対して所定の傾きで取り付けられている。ベース４は、本体部４ａに対して上方へ垂直に折り曲げられた４つの側部４ｂを有している。軸５に対して、本体部４ａは垂直になっていて、側部４ｂは平行になっている。各側部４ｂの互いに向き合う内面には、磁石６が固定されている。
【００２２】
ベース４の中央上には、レンズホルダ７が設置されている。レンズホルダ７は、本体部７ａの中央に軸５が貫通されていて、該軸５により回転可能に支持されている。軸５に対して、本体部７ａは垂直になっている。本体部７ａの側面には、電磁コイル８が固定されている。本体部７ａの一方側には、対物レンズ１１、１２を重ねることなくそれぞれ取り付けるレンズ受筒部７ｂ、７ｃが形成されている。レンズ受筒部７ｂ、７ｃの軸方向は、軸５と平行になっている。
【００２３】
対物レンズ１１、１２は、光学的特性が異なっている。対物レンズ１１は、記録密度の高いブルーレイディスクに対して波長の短いレーザ光を集光して照射するように設計されている。対物レンズ１２は、ブルーレイディスクより記録密度の低いＤＶＤに対して波長の長いレーザ光を集光して照射するように設計されている。光記録媒体（ブルーレイディスクまたはＤＶＤ）は、図１で対物レンズ１１、１２の上方の定位置にセットされる。ブルーレイディスクと対物レンズ１１は、ＤＶＤと対物レンズ１２より、ワーキングディスタンス（作動距離）が短いため、対物レンズ１１の方が対物レンズ１２より光記録媒体までの距離が短くなるように、レンズ受筒部７ｂ、７ｃの高さは設計されている。
【００２４】
レンズ受筒部７ｂの上部には、緩衝部材９が取り付けられている。緩衝部材９の本体部９ａは、対物レンズ１１の外周を囲うように筒状に形成されている。本体部９ａの光記録媒体側（上側）の端部には、対物レンズ１１と光記録媒体との衝突を防止するために、４つの突出部９ｂが設けられている。また、緩衝部材９は、光記録媒体の損傷を防止するために、ＰＯＭ（Ｐｏｌｙｏｘｙｍｅｔｈｙｌｅｎｅ）樹脂やシリコンゴム等の良好な摺動性を有する材料で形成されている。
【００２５】
図２は、光ピックアップ装置１に備わる光学系の概略構成図である。光源２１、２２、プリズム２３、２５、コリメートレンズ２４、および立ち上げミラー２６は、光ピックアップ装置１のベース２の内部に設置されている。対物レンズ１１、１２は、上述したようにベース２上に取り付けられたアクチュエータ３に設置されている。対物レンズ１１、１２の上方には、ブルーレイディスクまたはＤＶＤから成る光記録媒体１０がセットされている。光源２１は、ブルーレイディスクに応じた波長の短いレーザ光を発射する半導体レーザ素子である。光源２２は、ＤＶＤに応じた波長の長いレーザ光を発射する半導体レーザ素子である。
【００２６】
光源２１から発射されたレーザ光は、プリズム２３を真っ直ぐ透過して、コリメートレンズ２４へ入射する。また、光源２２から発射されたレーザ光は、プリズム２３で方向を曲げられて、コリメートレンズ２４へ入射する。コリメートレンズ２４へ入射したレーザ光は、該レンズ２４で平行光束にされて、プリズム２５を透過し、立ち上げミラー２６で方向を上方へ曲げられて、ミラー２６の直上に位置している対物レンズ１１または１２へ入射する。これらの際、光源２１または光源２２から、光記録媒体１０の種類に応じたレーザ光が発射される。また、図１のアクチュエータ３の電磁コイル８と磁石６の磁界により、レンズホルダ７が軸５を中心に回転して、光記録媒体１０の種類に応じた対物レンズ１１、１２が立ち上げミラー２６の直上に位置する。つまり、光記録媒体１０の種類に応じて、使用する光源２１、２２と対物レンズ１１、１２が切り換えられる。
【００２７】
対物レンズ１１または１２に入射したレーザ光は、該レンズ１１、１２で集光されて光記録媒体１０に照射される。そして、光記録媒体１０で反射された光は、対物レンズ１１または１２を透過し、立ち上げミラー２６とプリズム２５でそれぞれ方向を曲げられて、光検出器２７で受光される。光検出器２７は、受光した光を電気信号に変換して、再生信号やトラッキングエラー信号やフォーカシングエラー信号等を検出する。この際、アクチュエータ３の電磁コイル８と磁石６の磁界により、レンズホルダ７ごと対物レンズ１１、１２が、光記録媒体１０に対して垂直なフォーカシング方向へ移動して、フォーカシングサーボが行われたり、光記録媒体１０に対して平行なトラッキング方向へ移動して、トラッキングサーボが行われたりする。
【００２８】
図３は、レンズホルダ７の要部の分解状態を示す斜視図である。図４は、レンズホルダ７の組み立て状態を示す斜視図である。図５は、レンズホルダ７の組み立て状態を示す平面図である。図６は、図５のＡ−Ａ断面図である。
【００２９】
図３に示すように、緩衝部材９とレンズホルダ７のレンズ受筒部７ｂとには、対物レンズ１１を傾き調整可能に保持するレンズチルト調整保持構造１３が付加されている。レンズチルト調整保持構造１３は、緩衝部材９の支持部９ｃ、フランジ部９ｄ、貫通孔９ｅ、レンズホルダ７のめねじ孔７ｅ、レンズ受筒部７ｂの係合部７ｆ、精密ビス１４、コイルばね１５、および対物レンズ１１の係合部１１ｆから構成されている。
【００３０】
緩衝部材９の本体部９ａの内周面の上端には、支持部９ｃが本体部９ａの軸方向に対して垂直に内側へ向かって突出するように４つ形成されている。各支持部９ｃ上には、前述の突出部９ｂが形成されている。支持部９ｃは、対物レンズ１１を透過するレーザ光を遮らないように、対物レンズ１１を光記録媒体１０側（図３で上方）から支持する。本体部９ａの外周面の下端には、フランジ部９ｄが本体部９ａの軸方向に対して垂直に外側へ向かって突出するように３つ形成されている。各フランジ９ｄには、貫通孔９ｅが本体部９ａと平行でかつ等角度（１２０°）間隔で３つ形成されている。
【００３１】
レンズホルダ７のレンズ受筒部７ｂの周囲には、台７ｄが緩衝部材９の各フランジ部９ｄと対応するように所定の高さで３つ形成されている。各台７ｄには、めねじ孔７ｅが緩衝部材９の各貫通孔９ｅと同心円状に３つ形成されている。レンズ受筒部７ｂの上部の内側には、コイルばね１５の反光記録媒体１０側（図３で下端）を係合する段差状の係合部７ｆが形成されている。係合部７ｆは、コイルばね１５を支持可能でかつ対物レンズ１１の周端部１１ｂを嵌め込み可能な大きさに形成されている。
【００３２】
各精密ビス１４の頭部は、緩衝部材９の貫通孔９ｅより大きくなっている。各精密ビス１４のねじ部は、貫通孔９ｅを貫通可能でかつレンズホルダ７のめねじ孔７ｅと螺合可能になっている。各精密ビス１４は、各貫通孔９ｅを貫通して、めねじ孔７ｅに螺合されることにより、緩衝部材９をレンズホルダ７のレンズ受筒部７ｂの上方に取り付ける。
【００３３】
コイルばね１５は、対物レンズ１１の周端部１１ｂとレンズ受筒部７ｂの係合部７ｆとの間に設置される。コイルばね１５は、対物レンズ１１の周端部１１ｂを光記録媒体１０側（図３で上方）へ押すような弾性力を発生している。つまり、コイルばね１５は、対物レンズ１１を透過するレーザ光を遮らないように、対物レンズ１１を反光記録媒体１０側（図３で下方）から支持する。精密ビス１４とコイルばね１５は、特殊品ではなく、汎用品である。対物レンズ１１の周縁部１１ｂの反光記録媒体１０側の面（図３で下面）には、コイルばね１５の光記録媒体１０側（図３で上端）を係合する係合部１１ｆが形成されている。係合部１１ｆは、図７に示すように溝状に形成されている。係合部１１ｆの溝幅は、コイルばね１５の線材の径より若干大きく形成されている。
【００３４】
レンズホルダ７のレンズ受筒部７ｃの上部の内側には、対物レンズ１２の周端部１２ｂを嵌め込んで係合する段差状の係合部７ｇが形成されている。対物レンズ１２は、図４〜図６に示すように端部１２ｂをレンズ受筒部７ｃの係合部７ｇに係合して、接着剤等により固定される。この固定状態では、図６に示すように、対物レンズ１２のレーザ光を透過させる有効部分の中心Ｃ２は、レンズ受筒部７ｃの軸Ｊ２、即ちレンズ受筒部７ｃ内を通過するレーザ光の光軸と一致する。
【００３５】
ベース２、４の軸５の周囲には、アクチュエータ３を傾き調整可能に取り付けるアクチュエータチルト調整取付構造１７が付加されている。アクチュエータチルト調整取付構造１７は、軸５の半球部５ａ、ベース４のめねじ孔４ｃ、係合部４ｄ、ベース２の貫通孔２ｃ、係合部２ｄ、精密ビス１８、およびコイルばね１９から構成されている。
【００３６】
軸５の反光記録媒体１０側（図６で下端）には、半球部５ａが形成されている。半球部５ａは、ベース４の本体部４ａから突出して、ベース２上に接している。前述したように軸５は、ベース４の本体部４ａを貫通しつつベース４と固定され、レンズホルダ７の本体部７ａを貫通しつつレンズホルダ７を回転可能に支持している。ベース４の本体部４ａの軸５の周囲には、めねじ孔４ｃが軸５と平行でかつ等角度（１２０°）間隔で３つ形成されている。また、本体部４ａの軸５の周囲には、コイルばね１９の光記録媒体１０側（図６で上端）を係合する係合部４ｄが形成されている。ベース２には、貫通孔２ｃがベース４の各めねじ孔４ｃと同心円状に３つ形成されている。また、ベース２には、コイルばね１９の反光記録媒体１０側（図６で下端）を係合する係合部２ｄが形成されている。
【００３７】
各精密ビス１８の頭部は、ベース２の各貫通孔２ｃより大きくなっている。各精密ビス１８のねじ部は、各貫通孔２ｃを貫通可能でかつベース４の各めねじ孔４ｃと螺合可能になっている。各精密ビス１８は、各貫通孔２ｃを貫通して、各めねじ孔４ｃに螺合されることにより、ベース４、軸５、およびレンズホルダ７をベース２上に取り付ける。コイルばね１９は、ベース２、４の係合部２ｄ、４ｄに係合されて設置されている。コイルばね１９は、ベース４の本体部４ａを光記録媒体１０側（図６で上方）へ押すような弾性力を発生している。精密ビス１８とコイルばね１９は、特殊品ではなく、汎用品である。
【００３８】
アクチュエータ３の各部とベース２とを組み合わせる際は、先ず、アクチュエータ３のベース４に、図１に示すように磁石６を固定し、軸５を貫通させて固定する。また、レンズホルダ７に、図１および図４〜図６に示すように電磁コイル８と対物レンズ１２と対物レンズ１１および緩衝部材９をそれぞれ取り付ける。レンズ受筒部７ｃへの対物レンズ１２の取り付け方は、前述した通りである。
【００３９】
レンズホルダ７のレンズ受筒部７ｂへの対物レンズ１１および緩衝部材９の取り付け方としては、先ず、図３のレンズ受筒部７ｂの係合部７ｆにコイルばね１５を係合して設置する。次に、対物レンズ１１の係合部１１ｆにコイルばね１５を係合して、コイルばね１５で対物レンズ１１を反光記録媒体１０側から支持する。次に、緩衝部材９を対物レンズ１１とコイルばね１５とレンズ受筒部７ｂを囲うように対物レンズ１１上に載せて、緩衝部材９の支持部９ｃで対物レンズ１１を光記録媒体１０側から支持する。そして、精密ビス１４を緩衝部材９の各フランジ部９ｄの貫通孔９ｅに貫通させて、レンズ受筒部７ｂの各台７ｄのめねじ孔７ｅに螺合し、緩衝部材９をレンズホルダ７に取り付ける。これにより、図４〜図６に示すように、対物レンズ１１を緩衝部材９とレンズ受筒部７ｂとで保持して、レンズホルダ７に取り付けることができる。
【００４０】
次に、レンズホルダ７を、図１および図６に示すように軸５で回転可能に支持して、ベース４上に取り付ける。次に、図６に示すようにベース２、４の係合部２ｄ、４ｄにコイルばね１９をそれぞれ係合して、軸５の半球部５ａをベース２上に載せ、精密ビス１８をベース２の貫通孔２ｃに貫通させて、べース４のめねじ孔４ｃに螺合し、ベース４、軸５、およびレンズホルダ７等をベース２上に取り付ける。そして、精密ビス１８のめねじ孔４ｃへのねじ込み量を精密に調整して、ベース４、軸５、およびレンズホルダ７ごと対物レンズ１２のベース２や光記録媒体１０に対するタンジェンシャルチルト方向やラジアルチルト方向等の傾きを精度良く微調整する。これにより、対物レンズ１２で発生するコマ収差を狙い通りに補正することができる。なお、対物レンズ１２の傾きを調整してから、レンズホルダ７に対物レンズ１１を取り付けるようにしてもよい。
【００４１】
そして最後に、レンズホルダ７上の精密ビス１４のめねじ孔７ｅへのねじ込み量を精密に調整して、緩衝部材９ごと対物レンズ１１の対物レンズ１２やレンズホルダ７や光記録媒体１０等に対するタンジェンシャルチルト方向やラジアルチルト方向等の傾きを精度良く微調整する。これにより、対物レンズ１１で発生するコマ収差を狙い通りに補正することができる。このとき、コイルばね１５が対物レンズ１１の係合部１１ｆとレンズ受筒部７ｂの係合部７ｆに係合しているため、図６に示すように対物レンズ１１のレーザ光を透過させる有効部分の中心Ｃ１が、レンズ受筒部７ｂの軸、即ち立ち上げミラー２６で反射されてレンズ受筒部７ｂ内を通過するレーザ光の光軸Ｊ１から外れることはない。
【００４２】
以上のようにすると、対物レンズ１２のベース２や光記録媒体１０に対する傾きの調整後に、レンズチルト調整保持構造１３により対物レンズ１１の光記録媒体１０やレンズホルダ７や対物レンズ１２等に対する傾きを調整することができるので、該傾き調整により、実際に光ピックアップ装置１の各部を組み合わせたときの対物レンズ１１、１２同士の相対的な傾き誤差によって発生するコマ収差を適切に抑えることが可能となる。
【００４３】
また、緩衝部材９およびレンズ受筒部７ｂの周囲に、貫通孔９ｅ、めねじ孔７ｅ、および精密ビス１４を等角度間隔で３つ設けたことで、各精密ビス１４の各めねじ孔７ｅへのねじ込み量を精密に変化させることにより、対物レンズ１１をタンジェンシャルチルト方向やラジアルチルト方向等の多方向へ精密に傾き調整することができ、対物レンズ１１で発生するコマ収差を的確に補正することが可能となる。
【００４４】
また、対物レンズ１１の周縁部１１ｂとレンズ受筒部７ｂの上部の内側に、それぞれコイルばね１５を係合する係合部１１ｆ、７ｆを設けたことで、対物レンズ１１のレーザ光を透過させる有効部分の中心Ｃ１が、レンズ受筒部７ｂ内を通過するレーザ光の光軸Ｊ１から外れるのを確実に防止することができ、対物レンズ１１の光学的特性を十分に発揮させることが可能となる。
【００４５】
また、レンズホルダ７の各レンズ受筒部７ｂ、７ｃへの各対物レンズ１１、１２の取り付け後に、各対物レンズ１１、１２の傾きを調整して、コマ収差を補正することができるので、各対物レンズ１１、１２を各レンズ受筒部７ｂ、７ｃに常に一定の状態で取り付けられるように、各対物レンズ１１、１２と各レンズ受筒部７ｂ、７ｃの寸法精度を厳しく管理する必要がなくなり、各部品１１、１２、７、９の製造が容易になって、生産性を向上させることが可能となる。
【００４６】
また、緩衝部材９とレンズホルダ７のレンズ受筒部７ｂとにわたってレンズチルト調整保持構造１３を付加しているので、対物レンズ１１のレンズホルダ７や対物レンズ１２に対する傾きを調整する専用の部材を別途製造して設ける必要がなく、製造コストの上昇を抑えることが可能となる。
【００４７】
さらに、レンズホルダ７とベース４と軸５ごと対物レンズ１２の傾きを調整して、対物レンズ１２で発生するコマ収差を補正してから、レンズチルト調整保持構造１３により対物レンズ１１の傾きを調整して、対物レンズ１１で発生するコマ収差を補正することで、いずれの対物レンズ１１、１２でレーザ光を集光して光記録媒体１０に照射しても、光記録媒体１０に形成される光スポットに発生するコマ収差を適切に抑えることができ、光ピックアップ装置１の再生性能または記録性能を向上させることが可能となる。
【００４８】
本発明は、以上の実施形態以外にも種々の形態を採用することができる。例えば、以上の実施形態では、レンズホルダ７を軸５で回転可能に支持する軸摺動型の光ピックアップ装置１に、本発明を適用した例を挙げたが、本発明は、レンズホルダをワイヤで上下左右に移動可能に支持するワイヤサスペンション型の光ピックアップ装置にも適用することが可能である。図８および図９は、この場合の実施形態を示す図である。図８は、ワイヤサスペンション型の光ピックアップ装置３１の平面図である。図９は、図８のＢ−Ｂ断面図である。図中、図１〜図６と同一または対応する部分には、同一符号を付してある。
【００４９】
光ピックアップ装置３１のベース３２は、ディスクプレーヤ等のシャーシに固定される固定部材である。ベース３２上には、図８に示すようにアクチュエータ３３が取り付けられている。また、ベース３２上には、アクチュエータ３３の一対のヨーク３５が固定されている。各ヨーク３５の互いに対向する側面には、磁石３６が固定されている。ヨーク３５の間にあるレンズホルダ３７は、ベース３２上の壁３２ａに固定された複数本のワイヤ３４により支持されている。レンズホルダ３７の各磁石３６と対向する側面には、電磁コイル３８が固定されている。電磁コイル３８と磁石３６の磁界により、レンズホルダ３７ごと対物レンズ１１、１２がフォーカシング方向やトラッキング方向へ移動して、フォーカシングサーボやトラッキングサーボが行われる。レンズホルダ３７の中央には、光学的特性の異なる対物レンズ１１、１２を重ねることなく、対物レンズ１１の方が対物レンズ１２より光記録媒体までの距離が短くなるように、それぞれ取り付けるレンズ受筒部７ｂ、７ｃが設けられている。レンズ受筒部７ｂの上部には、緩衝部材９が取り付けられている。緩衝部材９とレンズ受筒部７ｂには、レンズチルト調整保持構造１３が付加されている。
【００５０】
光記録媒体は、図９で対物レンズ１１、１２の上方の定位置にセットされる。対物レンズ１２は、図９に示すようにレンズ受筒部７ｃに取り付けられて、接着剤等で固定されている。ワイヤ３４の壁３２ａへの取り付け姿勢、即ちワイヤ３４のベース３２に対する取り付け角度が調整されることにより、レンズホルダ３７ごと対物レンズ１２の光記録媒体やベース３２に体する傾きが調整されて、対物レンズ１２で発生するコマ収差は補正されている。対物レンズ１１は、図９に示すように緩衝部材９とレンズ受筒部７ｂに付加されたレンズチルト調整保持構造１３により傾き調整可能に保持されて、レンズ受筒部７ｂに取り付けられている。レンズチルト調整保持構造１３により対物レンズ１１の光記録媒体やレンズホルダ３７や対物レンズ１２に対する傾きが調整されて、対物レンズ１１で発生するコマ収差は補正されている。
【００５１】
光ピックアップ装置３１の光学系の構成は、図２に示した構成と立ち上げミラー２６以外については同一である。光ピックアップ装置３１では、対物レンズ１１、１２とプリズム２５との間に、立ち上げミラー２６に代えて、図９に示す２枚の立ち上げミラー４６ｂ、４６ｃを設置している。立ち上げミラー４６ｂは、光源２１から発射された波長の短いレーザ光を反射して、対物レンズ１１へ入射させ、光源２２から発射された波長の長いレーザ光を透過させる。立ち上げミラー４６ｃは、光源２２から発射された波長の長いレーザ光を反射して、対物レンズ１２へ入射させる。
【００５２】
上記光ピックアップ装置３１においても、対物レンズ１２の光記録媒体に対する傾きの調整後に、レンズチルト調整保持構造１３により対物レンズ１１の光記録媒体やレンズホルダ３７や対物レンズ１２に対する傾きを調整することができるので、実際に光ピックアップ装置３１の各部を組み合わせたときの対物レンズ１１、１２同士の相対的な傾き誤差によって発生するコマ収差を適切に抑えることが可能となる。
【００５３】
以上の実施形態では、緩衝部材９とレンズホルダ７のレンズ受筒部７ｂの周囲に貫通孔９ｅ、めねじ孔７ｅ、および精密ビス１４を３つ設けた例を挙げたが、本発明はこれのみに限定するものではなく、緩衝部材９とレンズ受筒部７ｂの周囲に貫通孔９ｅ、めねじ孔７ｅ、および精密ビス１４を２つまたは４つ以上設けて、適当な位置にある精密ビス１４のねじ込み量の調整により、対物レンズ１１の傾きを調整するようにしてもよい。
【００５４】
また、以上の実施形態では、コイルばね１５を用いて、対物レンズ１１を光記録媒体１０側へ押すような弾性力を発生させた例を挙げたが、本発明はこれのみに限定するものではなく、コイルばね１５に代えて、例えばレンズ受筒部７ｂと対物レンズ１１の係合部７ｆ、１１ｆの幅より小さな径を有する小型のコイルばねを係合部７ｆ、１１ｆに複数設置したり、板ばねや輪ばね等を係合部７ｆ、１１ｆに設置したりしてもよい。
【００５５】
さらに、以上の実施形態では、光学的特性の異なる２つの対物レンズ１１、１２を備えた光ピックアップ装置１に、本発明を適用した例を挙げたが、本発明は、光学的特性の異なる３つ以上の対物レンズを備えた光ピックアップ装置にも適用することが可能である。
【図面の簡単な説明】
【００５６】
【図１】本発明の実施形態に係る光ピックアップ装置の斜視図である。
【図２】同光ピックアップ装置の光学系の構成図である。
【図３】同光ピックアップ装置に備わるレンズホルダの分解斜視図である。
【図４】同光ピックアップ装置に備わるレンズホルダの組立斜視図である。
【図５】同光ピックアップ装置に備わるレンズホルダの組立平面図である。
【図６】同光ピックアップ装置に備わるレンズホルダの断面図である。
【図７】同光ピックアップ装置に備わる対物レンズの斜視図である。
【図８】他の実施形態に係る光ピックアップ装置の平面図である。
【図９】他の実施形態に係る光ピックアップ装置の断面図である。
【符号の説明】
【００５７】
１、３１  光ピックアップ装置
７、３７  レンズホルダ
７ｂ、７ｃ  レンズ受筒部
７ｅ  めねじ孔
７ｆ  係合部
９  緩衝部材
９ｂ  突出部
９ｃ  支持部
９ｄ  フランジ部
９ｅ  貫通孔
１０  光記録媒体
１１、１２  対物レンズ
１１ｆ  係合部
１３  レンズチルト調整保持構造
１４  精密ビス
１５  コイルばね
【図１】
2008047258.tif 000003
【図２】
2008047258.tif 000004
【図３】
2008047258.tif 000005
【図４】
2008047258.tif 000006
【図５】
2008047258.tif 000007
【図６】
2008047258.tif 000008
【図７】
2008047258.tif 000009
【図８】
2008047258.tif 000010
【図９】
2008047258.tif 000011